(57)【要約】【課題】簡単な作業により短時間で、作業性よく、組立て、解体を行なうことができる柔道競技用舞台装置を提供する。【解決手段】体育館などの室内施設の床面Ｙに設ける柔道競技用舞台装置であって、前記床面Ｙに剛性を有する複数の発泡体ブロック５を敷設し、その外周部を被覆用シート６の一端辺部側が床面Ｙ側に位置するとともに、他端辺部側が発泡体ブロック５の上面側に位置するように、被覆用シート６により包み込んで土台１を形成し、この被覆用シート６の前記一端辺部を粘着テープにより床面Ｙの固定するとともに、前記他端辺部を粘着テープにより発泡体ブロック５の上面の固定し、前記土台１上には、複数の補強板２を敷設し、前記補強板２上には、表面最大粗さが２０．０μｍ以下の平滑性シート３を敷設し、前記平滑性シート３上には、表面最大粗さが２．０μｍ以下の樹脂層を有する滑り止めシートを備えた複数の柔道用畳４を樹脂層が平滑性シート３側になるように敷設した。【選択図】  図１
2005021411.tif 000002
【特許請求の範囲】
【請求項１】
体育館などの屋内施設の床面に設ける柔道競技用舞台装置であって、
前記床面に、剛性を有する複数の発泡体ブロックを敷設し、その外周部を被覆用シートの一端辺部側が床面側に位置するとともに、他端辺部側が発泡体ブロックの上面側に位置するように被覆用シートにより包み込んで土台を形成し、
前記土台上には、複数の補強板を敷設し、
前記補強板上には、表面最大粗さが２０．０μｍ以下の平滑性シートを敷設し、
前記平滑性シート上には、表面最大粗さが２．０μｍ以下の樹脂層を有する滑り止めシートを備えた複数の柔道用畳を樹脂層が平滑性シート側になるように敷設した
ことを特徴とする柔道競技用舞台装置。
【請求項２】
前記被覆用シートの前記一端辺部を粘着テープにより床面に固定するとともに、前記他端辺部を粘着テープにより発泡体ブロックの上面に固定したことを特徴とする請求項１記載の柔道競技用舞台装置。
【請求項３】
前記樹脂層は、ポリ塩化ビニル樹脂１００質量部に対して可塑剤を５０〜１５０質量部配合したポリ塩化ビニル樹脂層であることを特徴とする請求項１または２記載の柔道競技用舞台装置。
【請求項４】
前記平滑性シートは、ポリ塩化ビニル樹脂１００質量部に対して可塑剤を１０〜１２０質量部配合したポリ塩化ビニル樹脂シートであることを特徴とする請求項１〜３のいずれかに記載の柔道競技用舞台装置。
【発明の詳細な説明】
【０００１】
【発明の属する技術分野】
本発明は柔道競技用舞台装置に関するものであり、特に組立て、解体を簡単に行なうことができる柔道競技用舞台装置に関するものである。
【０００２】
【従来の技術】
従来、柔道競技においては、観覧者が柔道競技者の競技を観覧し易くするために、体育館などの床面よりも高い位置に競技面を形成すべく、柔道競技用舞台装置が設けられている。この種の柔道競技用舞台装置は、例えば体育館の床面に養生シートを敷き、養生シートの上で木材からなる土台の組立て作業を行ない、この土台の上に釘、ねじなどにより合板などの板材を取り付け、板材の上にその周囲を囲む木製の枠体を釘により打ち付け、この枠体の内側に柔道用畳を敷設することにより、組み立てられている。
【０００３】
【発明が解決しようとする課題】
しかし、従来のこのような柔道競技用舞台装置では、床面に養生シートが敷かれているものの、養生シートの上で木材からなる土台の組立て作業を行なったり、釘などにより板材や枠体を取り付けたりするため、作業中に木材により床面に傷が付くおそれがあり、しかも、木材を組み立てて土台などを作るため、組立て、解体に人手など多くの労力を要するとともに、組立て、解体に長時間を要するなどの問題があった。
【０００４】
そこで、本発明はこのような問題点を解決するためになされたものであって、簡単な作業により短時間で、作業性よく、組立て、解体を行なうことができる柔道競技用舞台装置を提供することを目的とするものである。
【０００５】
【課題を解決するための手段】
前記課題を解決する本発明の柔道競技用舞台装置は、体育館などの屋内施設の床面に設ける柔道競技用舞台装置であって、前記床面に、剛性を有する複数の発泡体ブロックを敷設し、その外周部を被覆用シートの一端辺部側が床面側に位置するとともに、他端辺部側が発泡体ブロックの上面側に位置するように被覆用シートにより包み込んで土台を形成し、前記土台上には、複数の補強板を敷設し、前記補強板上には、表面最大粗さが２０．０μｍ以下の平滑性シートを敷設し、前記平滑性シート上には、表面最大粗さが２．０μｍ以下の樹脂層を有する滑り止めシートを備えた複数の柔道用畳を樹脂層が平滑性シート側になるように敷設したことを特徴とするものである。
【０００６】
前記構成によれば、床面に複数の発泡体ブロックを敷設するとともに、その外周部を被覆用シートで包み込んで土台を形成したので、簡単な作業により作業性よく土台を形成することができる。また、土台上に補強板を敷設したことにより、土台が補強されて土台を構成する発泡体ブロックの変形などを防止することができる。さらに、補強板上に表面最大粗さが２０．０μｍ以下の平滑性シートを設けるとともに、この平滑性シート上に表面最大粗さが２．０μｍ以下の樹脂層を有する滑り止めシートを備えた柔道用畳を樹脂層が平滑性シート側になるように敷設したことにより、滑り止めシートと平滑性シートとが強く密着して、柔道競技中における柔道用畳のスリップを防止することができる。
【０００７】
したがって、簡単な作業により短時間で、作業性よく、組立て、解体を行なうことができ、しかも、柔道用畳がスリップすることがなく、柔道競技を好適に行なうことができる。
【０００８】
前記滑り止めシートにおける樹脂層の表面を表面最大粗さ２．０μｍ以下の鏡面にするとともに、平滑性シートの表面を表面最大粗さが２０．０μｍ以下の鏡面にすることで、滑り止めシートと平滑性シートとの密着性が向上し、柔道用畳がスリップしにくくなる。さらに滑り止めシートにおける樹脂層の表面を表面最大粗さ１．０μｍ以下にするとともに、平滑性シートの表面を表面最大粗さを１０．０μｍ以下にすると、スリップ防止効果が一層向上する。
【０００９】
また、請求項２に記載の発明は、前記柔道競技用舞台装置において、前記被覆用シートの前記一端辺部を粘着テープにより床面に固定するとともに、前記他端辺部を粘着テープにより発泡体ブロックの上面に固定したことを特徴とするものである。
【００１０】
前記構成によれば、床面を傷付けることなく土台を床面に固定することができるとともに、複数の発泡体ブロック間を固定することができる。
また、請求項３に記載の発明は、前記柔道競技用舞台装置において、前記樹脂層は、ポリ塩化ビニル樹脂１００質量部に対して可塑剤を５０〜１５０質量部配合したポリ塩化ビニル樹脂層であることを特徴とするものである。
【００１１】
前記構成によれば、樹脂層の硬度が適度であって、柔道用畳が平滑性シート上をより一層スリップしにくくなり、しかも柔道用畳を平滑性シート上に敷設するときに位置合わせを容易に行なうことができる。
【００１２】
前記可塑剤が５０質量部未満であると、ポリ塩化ビニル樹脂層が硬すぎるので、スリップ防止効果が不十分になる傾向があり、一方可塑剤が１５０質量部を超えると、軟らかくなりすぎるので、スリップ防止効果が強くなりすぎて、柔道用畳を平滑性シート上に敷設するときに、位置合わせが困難になることがある。
【００１３】
また、請求項４に記載の発明は、前記柔道競技用舞台装置において、前記平滑性シートは、ポリ塩化ビニル樹脂１００質量部に対して可塑剤を１０〜１２０質量部配合したポリ塩化ビニル樹脂シートであることを特徴とするものである。
【００１４】
前記構成によれば、平滑性シートの硬度が適度であって、柔道用畳をより一層スリップしにくくすることができ、しかも平滑性シートを補強板上に敷設するときに位置合わせを容易に行なうことができる。
【００１５】
前記可塑剤が１０質量部未満であると、平滑性シートが硬すぎるので、スリップ防止効果が不十分になる傾向があり、一方、可塑剤が１２０質量部を超えると、軟らかくなりすぎるので、スリップ防止効果が強くなりすぎて、平滑性シートを補強板上に敷設するときに、位置合わせが困難になることがある。
【００１６】
【発明の実施の形態】
以下、本発明の一実施の形態における柔道競技用舞台装置を図面に基づいて説明する。
【００１７】
図１〜図１０に示すように、柔道競技用舞台装置は、土台１と、土台１の上に敷設される補強板２と、補強板２の上に敷設される平滑性シート３と、平滑性シート３の上に敷設される柔道用畳４とから構成されている。
【００１８】
前記土台１は、所定寸法の直方体に成形され剛性を有する複数の発泡体ブロック５と被覆用シート６とから構成されており、複数の発泡体ブロック５は、体育館の床面Ｙに設けた養生シート７の上に、例えば所定面積の略正方形の土台１が形成されるように突き合わせて敷設されており、隣接する発泡体ブロック５間の接合部の上面には、粘着テープ（片面粘着テープ）８ａが貼着され、これにより複数の発泡体ブロック５間が連結されている。そして、個々の発泡体ブロック５は、例えば３０〜５０ｍｍの高さを有し、この発泡体ブロック５の高さが土台１の高さになる。
【００１９】
前記養生シート７上に敷設された複数の発泡体ブロック５の外周部は、外周を構成する４つの側面に、それぞれ複数の所定幅の被覆用シート６がその幅方の端辺部が重なり合った状態で側面に沿わせて配置されており、さらに、各被覆用シート６の長さ方向の一端辺部側を床面Ｙ側に折曲させるとともに、長さ方向の他端辺部側を発泡体ブロック５の上面側に折曲させて、被覆用シート６により包み込まれている。なお、前記各側面において一方の隅部側の箇所には、前記所定幅の被覆用シート６を側面の長さに合わせて小さい幅に切断した被覆用シート６が配置されている。
【００２０】
そして、各被覆用シート６の床面Ｙ側に折曲された長さ方向の一端辺部は、粘着テープ８ｂにより養生シート７上に固定され、また、各被覆用シート６の発泡体ブロック５の上面側に折曲された長さ方向の他端辺部は、粘着テープ８ｂにより発泡体ブロック５の上面に固定されている。
【００２１】
そして、各被覆用シート６は、各側面におけるその重ね合わせ部で粘着テープ８ｃにて連結されるとともに、隣接する側面の隅部においても粘着テープ８ｃにより連結されている。
【００２２】
これにより、養生シート７に土台１が形成されている。
前記発泡体ブロック５としては、例えばポリプロピレン樹脂を発泡成形して得られた剛性を有するものが用いられる。また、被覆用シート６としては、例えばポリエチレン、ポリプロピレン樹脂などのフィルムを細幅に裁断して得られたスリットヤーンを縦横に配して織製したシートなどが用いられる。
【００２３】
前記のように構成された土台１の上には、複数の合板などの補強板２がその全面にわたって敷設されており、隣接する補強板２の接合部の上面には粘着テープ８ｄが貼着され、これにより補強板２間が連結されている。この補強板２により、土台１が補強されるとともに、発泡体ブロック５の変形が防止される。
【００２４】
さらに、補強板２の上には、複数の長尺状の平滑性シート３が敷設されている。この平滑性シート３は、その幅に見合った間隔で両面粘着テープ（図示せず）を補強板２の上に貼り、平滑性シート３の両縁部を両面粘着テープを介して補強板２に貼着することにより、補強板２の上に固定されている。前記平滑性シート３を補強板２上に敷設するに際しては、通常、ロール状に巻かれた平滑性シート３を巻き出しながら敷設する。
【００２５】
この平滑性シート３としては、表面最大粗さが２０μｍ以下のものが用いられ、好ましくは表面最大粗さが１０μｍ以下のものが用いられる。この平滑性シート３は、ポリ塩化ビニル樹脂からなるシートが好ましく、ポリ塩化ビニル樹脂からなるシートを用いるときは、ポリ塩化ビニル樹脂１００質量部に対して可塑剤を１０〜１２０質量部配合したものが好ましい。
【００２６】
そして、この平滑性シート３の上には、その周囲に僅かな余白部を残して、複数の柔道用畳４が敷設されており、複数の柔道用畳４が敷設された柔道用畳敷設面内には、他の箇所とは異なる色に着色された区画用畳４ａにより区画された複数の柔道競技面Ａが形成されている。前記余白部には、複数の柔道用畳４の周囲を囲むように、ニードルパンチカーペットなどの装飾用シート９が設けられている。
【００２７】
この柔道用畳４は、畳床１０と、織布層（支持層）１４の一方の面に表面最大粗さが２．０μｍ以下のポリ塩化ビニル樹脂層（樹脂層）１２を有する滑り止めシート１３と、表面材１４とからなり、畳床１０の裏面にポリ塩化ビニル樹脂層１２が外側になるように滑り止めシート１３が配置され、表面材１４によって畳床１０が上方から包み込まれるとともに滑り止めシート１３が畳床１０に縫合されたものであり、滑り止めシート１３のポリ塩化ビニル樹脂層１２が前記平滑性シート３と接するように、平滑性シート３上に敷設されている。前記ポリ塩化ビニル樹脂層１２は、例えば、ポリ塩化ビニル樹脂１００質量部に対して可塑剤を５０〜１５０質量部配合されているものである。
【００２８】
前記構成によれば、床面Ｙに養生シート７を介して複数の発泡体ブロック５を敷設するとともに、その外周部を複数の被覆用シート６で包み込んで土台１を形成したので、簡単な作業により作業性よく土台１を形成することができる。また、被覆用シート６の一端辺部を粘着テープ８ｂにより養生シート７に固定するとともに、他端辺部を粘着テープ８ｂにより発泡体ブロック５の上面に固定したので、床面Ｙを傷付けることなく土台１を養生シート７に固定するすることができるとともに、複数の発泡体ブロック５間を固定することができる。さらに、土台１上に複数の補強板２を敷設したことにより、土台１が補強されて土台１を構成する発泡体ブロック５の変形などを防止することができる。さらに、補強板２上に表面最大粗さが２０．０μｍ以下の複数の平滑性シート３を敷設するとともに、この平滑性シート３上に表面最大粗さが２．０μｍ以下のポリ塩化ビニル樹脂層１２を有する滑り止めシート１３を備えた柔道用畳４をポリ塩化ビニル樹脂層１２が平滑性シート３側になるように敷設したことにより、滑り止めシート１３と平滑性シート３とが強く密着して、柔道競技中における柔道用畳４のスリップを防止することができる。
【００２９】
したがって、組立て、解体を簡単な作業により作業性よく行なうことができ、しかも、体育館など屋内施設の床面Ｙを傷付けることないものであり、また、柔道用畳がスリップすることがなく、柔道競技を好適に行なうことができる。
【００３０】
しかも、ポリ塩化ビニル樹脂層１２として、ポリ塩化ビニル樹脂１００質量部に対して可塑剤を５０〜１５０質量部配合したものを用いたので、ポリ塩化ビニル樹脂層１２の硬度が適度であって、柔道用畳４が平滑性シート３上をより一層スリップしにくくなり、しかも柔道用畳４を平滑性シート３上に敷設するときに位置合わせを容易に行なうことができる。
【００３１】
さらに、平滑性シート３として、ポリ塩化ビニル樹脂１００質量部に対して可塑剤を１０〜１２０質量部配合したポリ塩化ビニル樹脂シートを用いたので、平滑性シート３の硬度が適度であって、柔道用畳４をより一層スリップしにくくすることができ、しかも平滑性シート３を補強板２上に敷設するときに位置合わせを容易に行なうことができる。
【００３２】
前記実施の形態では、体育館の床面Ｙに養生シート７を敷設し、養生シート７上に柔道競技用舞台装置を設けた例を示したが、養生シート７を敷設することなく、体育館の床面Ｙに柔道競技用舞台装置を直接設けるようにしてもよい。
【００３３】
平滑性シート３としては、ポリ塩化ビニル樹脂からなるシートの他、ポリ（エチレン・ビニルアセテート）樹脂、ポリエチレン樹脂、ポリプロピレン樹脂などからなるものを用いることもできる。
【００３４】
【発明の効果】
以上述べたように本発明の柔道競技用舞台装置によれば、簡単な作業により短時間で、作業性よく、組立て、解体を行なうことができ、しかも、柔道用畳がスリップすることがなく、柔道競技を好適に行なうことができる。
【００３５】
また、請求項２に記載の発明によれば、床面を傷付けることなく土台を床面に固定することができるとともに、複数の発泡体ブロック間を固定することができる。
【００３６】
また、請求項３に記載の発明によれば、樹脂層の硬度が適度であって、柔道用畳が平滑性シート上をより一層スリップしにくくなり、しかも柔道用畳を平滑性シート上に敷設するときに位置合わせを容易に行なうことができる。
【００３７】
さらに、請求項４に記載の発明によれば、平滑性シートの硬度が適度であって、柔道用畳をより一層スリップしにくくすることができ、しかも平滑性シートを補強板上に敷設するときに位置合わせを容易に行なうことができる。
【図面の簡単な説明】
【図１】本発明の一実施の態様における柔道競技用舞台装置を示す斜視図図である。
【図２】同装置における発泡体ブロックの配列状態を示す平面図である。
【図３】同装置における補強板の配列状態を示す平面図である。
【図４】同装置における平滑性シートの配列状態を示す平面図である。
【図５】同装置における柔道用畳の配列状態を示す平面図である。
【図６】同装置における土台を示す部分斜視図である。
【図７】同発泡体ブロックの固定状態を示す部分斜視図である。
【図８】図７の部分拡大断面図である。
【図９】同装置における補強板の連結状態を示す斜視図である。
【図１０】同装置における柔道用畳を示し、（ａ）はその斜視図、（ｂ）は柔道用畳に取り付ける滑り止めシートの断面図である。
【符号の説明】
１    土台
２    補強板
３    平滑性シート
４    柔道用畳
５    発泡体ブロック
６    被覆用シート
７    養生シート
８ａ、８ｂ、８ｃ、８ｄ    粘着テープ
９    装飾用シート
１０  畳床
１１  織布層
１２  ポリ塩化ビニル樹脂層
１３  滑り止めシート
１４  表面材
【図１】
2005021411.tif 000003
【図２】
2005021411.tif 000004
【図３】
2005021411.tif 000005
【図４】
2005021411.tif 000006
【図５】
2005021411.tif 000007
【図６】
2005021411.tif 000008
【図７】
2005021411.tif 000009
【図８】
2005021411.tif 000010
【図９】
2005021411.tif 000011
【図１０】
2005021411.tif 000012